(57)【要約】【課題】光の当たり方による絵画の見え方の変化を擬似的に体験できる技術を提供する。【解決手段】絵画鑑賞支援システム１は、絵画の表面の凹凸に起因する陰影を示す陰影データおよびその絵画の色彩を示す色彩データを用いて生成された画像データを用いた画像Ｐがプリントされた平面の媒体２に対し、画像Ｐに重ねて、陰影データにより示される陰影Ｓを形成する画像形成手段１１と、画像Ｐに重ねて形成される陰影Ｓが、陰影Ｓの形状を保った状態で、当該陰影の表示態様を変化させるよう制御する画像制御手段１２とを有する。【選択図】図１
2018128502.tif 000002
【特許請求の範囲】
【請求項１】
絵画の表面の凹凸に起因する陰影を示す陰影データおよび当該絵画の色彩を示す色彩データを用いて生成された画像データを用いた画像がプリントされた平面の媒体に対し、当該画像に重ねて、当該陰影データにより示される陰影を形成する画像形成手段と、
前記画像に重ねて形成される陰影が、当該陰影の形状を保った状態で、当該陰影の表示態様を変化させる画像制御手段と
を有する絵画鑑賞支援システム。
【請求項２】
前記画像制御手段は、前記画像を基準とする所定の範囲で前記陰影を移動させる
ことを特徴とする請求項１に記載の絵画鑑賞支援システム。
【請求項３】
前記画像形成手段は、前記媒体に対し映像を投射する投射手段を有し、
前記画像制御手段は、前記陰影を投射するよう前記投射手段を制御する
ことを特徴とする請求項１または２に記載の絵画鑑賞支援システム。
【請求項４】
前記画像形成手段は、前記媒体を保護する透明部材に形成された電気光学素子を有し、
前記画像制御手段は、前記陰影を形成するよう前記電気光学素子を制御する
ことを特徴とする請求項１または２に記載の絵画鑑賞支援システム。
【請求項５】
絵画の表面の凹凸に起因する陰影を示す陰影データおよび当該絵画の色彩を示す色彩データを用いて生成された画像データを用いた画像がプリントされた媒体を準備する工程と、
前記媒体に対し、当該画像に重ねて、当該陰影データにより示される陰影を形成する工程と、
前記画像に重ねて形成される陰影が、当該陰影の形状を保った状態で、当該画像を基準とする所定の範囲で移動するよう制御する工程と
を有する絵画鑑賞支援方法。
【発明の詳細な説明】
【技術分野】
【０００１】
本発明は、絵画鑑賞を支援する技術に関する。
【背景技術】
【０００２】
特許文献１は、絵画自体の濃淡を強調するため、絵画と同じ画像をプロジェクターでその絵画の上に投射する技術を開示している。特許文献１では、絵画の暗い部分における白浮きを防ぐため、色分布が調整された画像データがその絵画の上に投射される。
【先行技術文献】
【特許文献】
【０００３】
【特許文献１】国際公開第１３／１４０４５６号明細書
【発明の開示】
【発明が解決しようとする課題】
【０００４】
特許文献１に記載の技術においては、画像データの色分布が調整すなわちオリジナルから変更されるため、絵画の色彩がオリジナルから損なわれてしまう。これはもはや絵画鑑賞とは言えないものである。
【０００５】
絵画、特に油絵においては、表面に凹凸が存在する。この凹凸は、筆遣いであったり、絵の具の厚みを変えて塗ったものであったり、様々な要因によるものであるが、絵画の表現技法の一つであることは間違いない。このような表面の凹凸が表現に大きな影響を与えている絵画はいくつもある。例えば、ゴッホの「ローヌ川の星降る夜」という絵は、北斗七星が輝く満天の星空の下を流れるローヌ川を描いたものである。本願発明者らの調査によれば、ゴッホは、織物のように縦横にタッチを重ねながら背景の夜空を塗っている。このような複雑なタッチにより光の乱反射が生じ、表面の色彩に深みを与えている。さらにもう一つ、この表面の凹凸により、光源の位置が変わると、夜空に描かれた星がまたたいて見えるという現象が起きる。すなわち、ゴッホは、例えば陽の光の揺らぎにより星がまたたいて見える点まで計算して星空を描いていたと考えられる。
【０００６】
しかし、これまで、光の当て方による絵画の見え方の変化は注目されていなかった。それは、一般に絵画は光（特に紫外線および短波長の可視光）によって劣化してしまうので、鑑賞の際に絵画に強い光を当てることは御法度であったためである。仮に、絵画に当たる光と表面の凹凸の関係で絵画の見え方が変わるということが広く知られたとしても、前述のとおり劣化を助長することになるため、美術館等において、見え方が変わる程度の光が当たる環境で絵画の鑑賞を提供することはできなかった。
【０００７】
ところで、本願の発明者らは、絵画が引き起こす感動を記録・再現できるようにするため、絵画の色彩、作家の技法および筆さばきを記録する技術を研究し、ＤＴＩＰ（Dynamic Texture Image Processing）と呼ばれる技術を開発した。これは、表面の凹凸を有する立体的な絵画を２次元の画像データとして記録する技術である。この画像データを用いて印刷された画像は、あくまでも平面の画像でありながら、表面に多様な凹凸を有する油絵のような立体感を再現することができる。こうして生成された平面画を、本願発明者ら「プレシジョン・リマスター・アート」と名付けた。プレシジョン・リマスター・アートは、フランスのオルセー美術館により公式レプリカ（復原画）として認定されている。
【０００８】
プレシジョン・リマスター・アートは、あくまでレプリカであるので、原画のように光による劣化を気にする必要がない（劣化してしまっても構わない）。そのため、鑑賞時に様々な光を当てることができる。そこで、プレシジョン・リマスター・アートを用いれば、光の当て方による絵画の見え方の変化を体験できるようにも考えられる。しかし、プレシジョン・リマスター・アートはあくまで２次元の画像として形成されており、実際には原画のような表面の凹凸を有していない。「ローヌ川の星降る夜」のプレシジョン・リマスター・アートに、光源の位置を変えながら光を当てても、残念ながら星はまたたいて見えない。
【０００９】
本願発明はこのような事情の下になされたものであり、プレシジョン・リマスター・アートのような平面画を用いて、光の当たり方による絵画の見え方の変化を擬似的に体験できる技術を提供する。
【課題を解決するための手段】
【００１０】
本発明は、絵画の表面の凹凸に起因する陰影を示す陰影データおよび当該絵画の色彩を示す色彩データを用いて生成された画像データを用いた画像がプリントされた平面の媒体に対し、当該画像に重ねて、当該陰影データにより示される陰影を形成する画像形成手段と、前記画像に重ねて形成される陰影が、当該陰影の形状を保った状態で、当該陰影の表示態様を変化させる画像制御手段とを有する絵画鑑賞支援システムを提供する。
【００１１】
前記画像制御手段は、前記画像を基準とする所定の範囲で前記陰影を移動させてもよい。
【００１２】
前記画像形成手段は、前記媒体に対し映像を投射する投射手段を有し、前記画像制御手段は、前記陰影を投射するよう前記投射手段を制御してもよい。
【００１３】
前記画像形成手段は、前記媒体を保護する透明部材に形成された電気光学素子を有し、前記画像制御手段は、前記陰影を形成するよう前記電気光学素子を制御してもよい。
【００１４】
また、本発明は、絵画の表面の凹凸に起因する陰影を示す陰影データおよび当該絵画の色彩を示す色彩データを用いて生成された画像データを用いた画像がプリントされた媒体を準備する工程と、前記媒体に対し、当該画像に重ねて、当該陰影データにより示される陰影を形成する工程と、前記画像に重ねて形成される陰影が、当該陰影の形状を保った状態で、当該画像を基準とする所定の範囲で移動するよう制御する工程とを有する絵画鑑賞支援方法を提供する。
【発明の効果】
【００１５】
本発明によれば、平面画を用いて、光の当たり方による絵画の見え方の変化を擬似的に体験できる。
【図面の簡単な説明】
【００１６】
【図１】一実施形態に係る絵画鑑賞支援システム１の機能構成を例示する図。
【図２】絵画鑑賞支援システム１のハードウェア構成を例示する図。
【図３】絵画鑑賞支援システム１の動作を例示するフローチャート。
【図４】媒体２に投写される映像を例示する図。
【図５】プリント画像Ｐに対する陰影画像Ｓの移動の概要を例示する図。
【図６】絵画鑑賞支援システム１の変形例１に係るハードウェア構成を例示する図。
【図７】電気光学パネル３０と媒体２との関係を例示する図。
【発明を実施するための形態】
【００１７】
１．構成
図１は、一実施形態に係る絵画鑑賞支援システム１の機能構成を例示する図である。絵画鑑賞支援システム１は、例えば復原画が形成された媒体２を用いて、光の当て方による絵画の見え方の変化を擬似的に体験するためのシステムである。
【００１８】
媒体２は、絵画の表面の凹凸に起因する陰影を示す陰影データおよびその絵画の色彩を示す色彩データを用いて生成された画像データを用いた画像（以下「プリント画像Ｐ」という）がプリントされた平面の媒体である。ここで、「絵画」とは、油絵等、絵の具の厚みの差異に起因する凹凸を表面に有する美術品をいい、一例としては原画（オリジナルの油絵）である。「画像がプリントされた媒体」とはプリント画像Ｐが形成された媒体をいう。プリント画像Ｐを形成する具体的な方法はどのようなものであってもよく、例えば、印刷、電子写真、またはインクジェット方式によりプリント画像Ｐを形成することができる。「平面の媒体」とは、プリント画像Ｐが形成される前およびプリント画像Ｐが形成された後で、プリント画像Ｐを含めて全体的に平面である媒体をいい、例えば紙である。「平面」とは原画よりも凹凸が少なく平坦であることをいう。
【００１９】
ここで、陰影データおよび色彩データについて補足する。陰影データおよび色彩データは、１枚の絵画から、それぞれ異なる方法により取得される。色彩データは、所定の位置（例えば正面）に配置された光源から絵画に光を当てた状態で、その絵画をデジタルスチルカメラ（以下単にカメラという）で撮影することにより得られる。解像度を向上させるため、１枚の絵画を複数の領域に分割して撮影することが好ましい。また、視点を固定するため、カメラの位置は固定し、レンズ（光軸）の向きを変えて複数の領域を撮影する。例えば、１枚の絵画を３行３列の９つの領域に分割し、各領域を１０００万画素のカメラで撮影すると、この絵画を約９０００万画素の解像度で撮影することができる。複数の領域の画像は、台形補正等の幾何補正を行った後、位置を合せて結合され、１枚の絵画の色彩データが得られる。陰影データは、色彩データを取得する際とは異なる位置に配置された光源から絵画に光を当てた状態で、その絵画をカメラで撮影することにより得られる。撮影は、光源からの光の、絵画に対する入射角を変えながら行われる。様々な角度で入射する光により形成される陰影を撮影することにより、絵画表面の凹凸に関する情報が得られる。これら複数の入射角で撮影された複数の画像に対し所定の画像処理を施すことにより、色彩の情報が除去され、陰影のみを示す画像の陰影データが得られる。色彩データおよび陰影データが結合され、画像データが得られる。こうして得られた画像データ自体は、色成分に区分された階調値が画素毎に記録された、公知の画像データフォーマットを有する。
【００２０】
絵画鑑賞支援システム１は、画像形成手段１１および画像制御手段１２を有する。画像形成手段１１は、プリント画像Ｐが形成された媒体２に対して、プリント画像Ｐに重ねて、陰影データにより示される陰影（以下「陰影画像Ｓ」という）を形成する。画像制御手段１２は、その陰影の形状を保った状態で、陰影画像Ｓの表示態様を変化させる。陰影画像Ｓの表示態様とは、陰影画像Ｓの視覚的な外観をいう。陰影画像Ｓの表示態様の変化は、プリント画像Ｐを基準とする所定の範囲で移動すること、および陰影画像Ｓの明度を変化させることの少なくとも一方を含む。一例として、陰影画像Ｓは、所定の範囲内を周期的に移動する。別の例で、陰影画像Ｓは、所定の範囲内を非周期的すなわちランダムに移動する。
【００２１】
図２は、絵画鑑賞支援システム１のハードウェア構成を例示する図である。絵画鑑賞支援システム１は、情報処理装置１０および映像投写装置２０を有する。情報処理装置１０は、ＣＰＵ１０１、メモリー１０２、ストレージ１０３、通信ＩＦ１０４、ディスプレイ１０５、および入力装置１０６を有するコンピュータ装置である。ＣＰＵ１０１は、プログラムを実行して各種の演算を行う。メモリー１０２は主記憶装置であり、例えば、ＣＰＵ１０１がプログラムを実行する際のワークエリアとして機能する。ストレージ１０３は補助記憶装置であり、各種のプログラムおよびデータを記憶する。通信ＩＦ１０４は、所定の通信規格にしたがって他の装置と通信をするためのインターフェースである。ディスプレイ１０５は、情報を表示する装置である。入力装置１０６は、情報処理装置１０に情報を入力するための装置であり、例えば、タッチスクリーン、キーボード、およびマウスの少なくとも１つを含む。
【００２２】
この例で、ストレージ１０３は、コンピュータ装置を絵画鑑賞支援システム１の画像制御手段１２として機能させるためのプログラム（以下「制御プログラム」という）を記憶する。制御プログラムを実行しているＣＰＵ１０１は、画像制御手段１２の一例である。制御プログラムにより、情報処理装置１０は、陰影の表示態様が変化する映像を示す映像信号を映像投写装置２０に出力する。
【００２３】
映像投写装置２０は、入力された映像信号に従って映像を投写する装置、いわゆるプロジェクターである。映像投写装置２０は、画像形成手段１１の一例である。この例で、映像投写装置２０は、情報処理装置１０から入力される映像信号に従った映像を媒体２に投写する。映像投写装置２０は、例えばいわゆる短焦点のプロジェクターであり、媒体２の上方に設置される。なお、映像投写装置２０は、媒体２に映像を直接、投写してもよいし、媒体２がアクリルガラス等で保護されている場合には、アクリルガラスの上から映像を投写してもよい。
【００２４】
２．動作
図３は、絵画鑑賞支援システム１の動作を例示するフローチャートである。ステップＳ１において、媒体２が準備される。ステップＳ２において、媒体２に対応する陰影映像データが特定される。陰影映像データは、媒体２にプリントされた絵画の陰影データを用いて事前に生成され、ストレージ１０３に記憶される。陰影映像データの特定は、例えば、絵画鑑賞支援システム１のユーザにより行われる。ステップＳ３において、情報処理装置１０は、陰影映像データに従って陰影映像信号の出力を開始する。なお、ステップＳ３に先立ち、媒体２にプリントされた画像と映像投写装置２０により投写される映像とは公知の方法を用いて位置合わせされる。投写開始後、陰影は、例えば周期的または非周期的に移動する（ステップＳ４）。
【００２５】
図４は、媒体２に投写される映像を例示する図である。図４（Ａ）は、陰影の映像が投写されていない状態、すなわち媒体２にプリントされた絵画（の一部）そのものを示す。図４（Ｂ）は、プリント画像Ｐの陰影データにより示される陰影そのものを示す。以下、陰影の画像を「陰影画像Ｓ」という。図４（Ｃ）〜図４（Ｊ）は、時刻ｔ０〜ｔ８におけるプリント画像Ｐおよび陰影画像Ｓの位置関係を例示する図である。時刻ｔ０において、陰影画像Ｓは、プリント画像Ｐにおける陰影と同じ位置に表示される。この位置を「基準位置」という。時刻ｔ１〜ｔ７において、陰影画像Ｓは、プリント画像Ｐにおける陰影の周辺を順次移動する。図示は省略したが、時刻ｔ８の次の時刻において、陰影画像Ｓは基準位置（時刻ｔ０と同じ位置）に戻る。さらにその後、陰影画像Ｓは時刻ｔ１〜ｔ８と同じように移動する。すなわち、この例において陰影画像Ｓは、プリント画像の上を周期的に移動する。
【００２６】
図５は、プリント画像Ｐに対する陰影画像Ｓの移動の概要を例示する図である。点Ｐ０は、プリント画像Ｐの代表点（例えば重心）を示す。軌跡Ｓｔは、陰影画像Ｓの移動に伴って、陰影画像Ｓの代表点（例えば重心）が描く軌跡を示す。この例で、陰影画像Ｓは、プリント画像Ｐの代表点に対し半径ｄの円を描く軌跡で周期的に移動する。なお、陰影の基準位置（図４（Ｃ）の時刻ｔ０の位置）は、軌跡Ｓｔの円上にあると理解できる。
【００２７】
陰影画像Ｓの表示態様をプリント画像Ｐの上で変化させることによって、光源の位置を変えながらの原画の鑑賞を疑似体験させることができる。このとき、陰影映像データにおいて、陰影はその位置が変化するだけであって、形状は変化しない。陰影の形状を変化させてしまうと原画の情報を破壊してしまうことになり、もはや絵画鑑賞ではなくなってしまう。陰影の形状を保ったままその位置だけを変化させることにより、原画の情報を破壊せずに、光源の位置を変えながらの鑑賞を疑似体験させることができる。
【００２８】
なお陰影画像Ｓの表示態様を変化させる具体的方法は図４および図５において例示したものに限定されない。図４および図５においては、陰影画像Ｓが周期的に移動する例を示したが、陰影画像Ｓはプリント画像の上を非周期的に移動してもよい。あるいは、陰影画像Ｓの表示態様の変化は、位置の移動に代えて、または加えて、明度または彩度の変化を含んでもよい。
【００２９】
３．変形例
本発明は上述の実施形態に限定されるものではなく、種々の変形実施が可能である。以下、変形例を説明する。以下の変形例のうち２つ以上のものが組み合わせて用いられてもよい。
【００３０】
３−１．変形例１
図６は、絵画鑑賞支援システム１の変形例１に係るハードウェア構成を例示する図である。変形例１において、絵画鑑賞支援システム１は映像投写装置２０を有さず、電気光学パネル３０を有する。電気光学パネル３０は、２枚の板状の透明部材３１および３２に挟まれた電気光学素子３３を有する。透明部材３１および３２は、例えばガラスで形成される。電気光学素子３３は、マトリックス状に配置された複数の画素を有する。電気光学素子３３は、例えば液晶素子である。すなわち、電気光学パネル３０は透過型の液晶パネルである。電気光学パネル３０は入力インターフェース３４および駆動回路３５を有しており、情報処理装置１０から入力される陰影映像信号に応じて各画素の階調が制御され、電気光学パネル３０に陰影の画像が表示される。電気光学パネル３０は、画像形成手段１１の別の例である。なお、電気光学素子３３は、液晶素子に限らず、有機ＥＬ素子等であってもよい。
【００３１】
図７は、電気光学パネル３０と媒体２との関係を例示する図である。電気光学パネル３０は、媒体２を保護するための保護具、具体的には媒体２を額装するための額縁５を構成するガラスとして用いられる。媒体２は額縁５に額装された状態で展示されるので、鑑賞者は、媒体２に形成されたプリント画像Ｐを、電気光学パネル３０を介して視認する。電気光学パネル３０は例えば透過型の液晶パネルであり、映像信号が入力されていない状態では全ての画素で透過率が最大（ほぼ透明）である。陰影映像信号が入力されると、電気光学パネル３０には、陰影画像Ｓが表示される。鑑賞者はプリント画像Ｐの上に陰影画像Ｓが重ねられた画像を鑑賞する。陰影画像Ｓについて、図４で例示したように、プリント画像Ｐに基づいて定められる基準位置を基準として表示態様が変化する。基準位置は、プリント画像Ｐにおける陰影と陰影画像Ｓとが一致する位置である。陰影画像Ｓの表示態様をプリント画像Ｐの上で変化させることによって、光源の位置を変えながらの原画の鑑賞を疑似体験させることができる。
【００３２】
３−２．変形例２
上述の実施形態において、陰影映像データはあらかじめ準備され、ストレージ１０３に記憶されていた。しかし、陰影映像データは、媒体２の環境に応じてリアルタイムで（適応的に、または動的に）陰影画像Ｓを移動させてもよい。媒体２の環境は、例えば、媒体２が設置されている建物周辺の気象情報（天気、気温、または日射）を含む。具体的には、晴れの日は曇りの日と比較して移動範囲（図５の半径ｄに相当）が大きくなるよう、陰影画像Ｓが移動する。あるいは、日射の強い日は日射の弱い日と比較して移動範囲が大きくなるよう、陰影画像Ｓが移動する。媒体２の環境は、媒体２を鑑賞している鑑賞者に関する情報を含んでもよい。鑑賞者に関する情報は、例えば、特定の鑑賞者の位置を含む。具体的には、特定の鑑賞者が媒体２に向かって右側から鑑賞していた場合、陰影画像Ｓは、基準位置に対して左側の領域だけを移動する。図５の例を参照して説明すると、陰影画像は、プリント画像Ｐの代表点Ｐ０の回りを回る円を描くのではなく、代表点に対し左側の領域に偏った軌跡を描く。逆に、特定の鑑賞者が媒体２に向かって左側から鑑賞していた場合、陰影画像Ｓは、基準位置に対して右側の領域だけを移動する。鑑賞者に関する情報は、鑑賞者の人数を含んでもよい。例えば、鑑賞者の人数が多い場合には鑑賞者の人数が少ない場合と比較して移動範囲が大きくなるよう、陰影画像Ｓが移動する。さらに、媒体２の環境は、現在時刻を含んでもよい。具体的には、現在時刻から予想される太陽の位置に応じた領域のみで、陰影画像Ｓを移動させてもよい。例えば、朝方の時間帯において、太陽が媒体２に向かって左側に位置していると予想されるときは、陰影画像Ｓは、基準位置に対して右側の領域のみを移動する。昼間の時間帯において、太陽が媒体２の上方に位置していると予想されるときは、陰影画像Ｓは、基準位置に対して下側の領域のみを移動する。夕方の時間帯において、太陽が媒体２の右側に位置していると予想されるときは、陰影画像Ｓは、基準位置に対して左側の領域のみを移動する。このように、媒体２の環境に応じてリアルタイムで陰影画像Ｓを移動させることにより、媒体２の環境に応じた光の当たり方の下での原画の鑑賞を疑似体験させることができる。
【００３３】
この例で、情報処理装置１０は、媒体２の環境を示す情報（以下「環境情報」という）を取得する。媒体２の環境は、例えばセンサー（図示略）により検知される。この場合、情報処理装置１０は、このセンサーから媒体２の環境を示す情報を取得する。例えば、媒体２の鑑賞者の位置や人数が媒体２の環境情報として用いられる場合には、この手法が採用される。あるいは、媒体２の環境情報は、外部のサーバ装置（図示略）からネットワークを介して取得されてもよい。例えば、媒体２が設置されている建物周辺の気象情報が環境情報として用いられる場合には、この手法が採用される。
【００３４】
環境情報に応じた陰影画像Ｓの適応的な移動は、ソフトウェア処理により実現される。この場合、情報処理装置１０のストレージ１０３には、環境情報に応じて陰影画像Ｓを適応的に移動させるためのプログラム（以下「移動制御プログラム」という）が記憶される。移動制御プログラムがインストールされることにより、情報処理装置１０に、陰影画像Ｓを環境情報に応じて適応的に移動させる機能が実装される。
【００３５】
３−３．変形例３
陰影画像Ｓの表示態様が、媒体２の環境に応じてリアルタイムで変化してもよい。陰影画像Ｓの表示態様とは、陰影画像Ｓの外観のうち、陰影画像Ｓの移動以外の要素をいう。表示態様には、例えば階調（明度）または彩度が含まれる。具体的には、晴れの日は曇りの日と比較して陰影の階調がより暗くなるよう、陰影画像Ｓが調整される。あるいは、日射の強い日は日射の弱い日と比較して陰影の階調がより暗くなるよう、陰影画像Ｓが調整される。表示態様を変化させることにより、媒体２の環境に応じた光の当たり方の下での原画の鑑賞をよりリアルに疑似体験させることができる。
【００３６】
３−４．他の変形例
絵画鑑賞支援システム１のハードウェア構成は図２および図６で例示したものに限定されない。要求される機能を実現できるものであれば、絵画鑑賞支援システム１はどのようなハードウェア構成を有していてもよい。また、移動制御プログラムは、光ディスク、磁気ディスク、半導体メモリーなどの記憶媒体により提供されてもよいし、インターネット等の通信回線を介してダウンロードされてもよい。
【符号の説明】
【００３７】
１…絵画鑑賞支援システム、２…媒体、１０…情報処理装置、１１…画像形成手段、１２…画像制御手段、２０…映像投写装置、３０…電気光学パネル、１０１…ＣＰＵ、１０２…メモリー、１０３…ストレージ、１０４…通信ＩＦ、１０５…ディスプレイ、１０６…入力装置
【図１】
2018128502.tif 000003
【図２】
2018128502.tif 000004
【図３】
2018128502.tif 000005
【図４】
2018128502.tif 000006
【図５】
2018128502.tif 000007
【図６】
2018128502.tif 000008
【図７】
2018128502.tif 000009